(57)【要約】  【課題】    ミシンを押し倒す必要なくして簡単に装置を交換することができる、ポストベッド型ミシンの布送り棒装置の提供。 【解決手段】    布送り棒を含む布送り装置底部のアーム上端に回転軸を設け、布送り棒の下端に半円形の凹み槽を設け、半円の中心と相対する回転軸の軸心が一致して相互に接合されると共に、布送り棒下端の一方の側に固定された挟み突起が該回転軸の外囲を挟み、上下左右の移動を制限し、さらに、布送り棒に上下分離型を採用し、該上下布送り棒に重なり部分を設け、重なり部分に偏心軸を配置することで、布送り棒の上下移動ができ、縫製時に微調整をすることができるしくみである。  【選択図】    図６
2006068429.tif 000002
【特許請求の範囲】
【請求項１】
ポストベッド型ミシン座体上に設けたポストの一方の側に設置される布送り棒であって、該布送り棒を含む布送り装置底部のアーム上端に回転軸を設け、布送り棒底部に半円形の凹み槽を形成し、且つ、回転軸の中心と半円形の凹み槽の中心が一致して相互に接合されると共に、布送り棒下端の一方の側に固定された挟み突起が該回転軸の外囲を挟み、上下左右の移動を制限することを特徴とするポストベッド型ミシンの布送り棒装置。
【請求項２】
前記のうち、該挟み突起が布送り棒下端と固定板の間に設置され、ネジ付軸を支点とし、且つ、回転軸の円周と一致する半円刑の凹み槽を備え、さらに、該支点の上方に斜面を設け、前端が球状のネジを該固定板に螺合して設け、該ネジが挟み突起の該斜面を支持し、該ネジを締める方向に回すと、その圧力が斜面を経由し該挟み突起が支点を軸として内側方向へ回動し、回転軸の外囲を挟みこみ、該ネジをゆるめると該挟み突起が開き、布送り棒を取り出すことができることを特徴とする請求項１に記載のポストベッド型ミシンの布送り棒装置。
【請求項３】
前記のうち、該布送り棒が上下に分離された二段式の構造であり、下布送り棒の上端に凹み槽を設け、上布送り棒の下端と相互に嵌合して上下に滑動可能な状態を形成し、該凹み槽の中央に偏心軸を穿通するための穿通孔を設け、偏心軸の偏心部と上布送り棒上に設けた水平方向長孔を接合した後、偏心軸の回動により、上布送り棒が偏心軸の偏心範囲内で上下移動する請求項１に記載のポストベッド型ミシンの布送り棒装置。
【発明の詳細な説明】
【技術分野】
【０００１】
本発明は、ミシンの布送り棒装置に関し、突出部分が一般的なものより高くなっており、ここではポストベッド型ミシンと呼ぶが、ミシンを押し倒さずとも該布送り棒装置の着脱ができ、縫製する物品の形状に合わせ、簡単に装置を交換できるモジュール化されたポスト構造を備えた、ポストベッド型ミシン布送り棒装置に関する。
【背景技術】
【０００２】
図１は従来のポストベッド型ミシンの構造図であり、図２は従来の布送り棒装置の透視組立て図である。  本体頭部１は針棒装置４、水平装置、上送り装置及び縫目調節装置等を備え、筒部８に連結された後、座体９上方に連結される。図には示されていない上軸は、利用時にベルトを介し回転動力を下軸１８に伝え、歯車１０が下軸の動力を垂直方向の動力に転換する。
【０００３】
ポスト１２は、座体９上方の柱座部１１に固定され、その上端に軸座体１４を備えており、針板１４’が該軸座体１４の側面に固定される。布送り棒１３の構成は、上端の布送りを補助する布送り歯１５と、座体９上方とほぼ一致する位置にネジ２５'により組み込まれた布送りアーム２４を含み、布送り歯の上下と水平の移動量を伝導する。
【０００４】
アーム２４の構成は、揺動軸２０に固定された支持部２１を介し、軸２２の自由な回動の輔助を利用して布送りアーム２４に水平の揺動をさせる装置と、二又部品２３がネジ２３’により布送りアーム底部に固定され、さらに、該二又部品２３を下軸１８に固定された円ポスト１９上に接合し、布送り棒に上下運動をさせる装置とを含み、ネジ２３’をゆるめると、該二又部品２３及びアーム２４は図２に示す上下方向に移動させ、布送り歯１５の上下位置を変更することができる。
【０００５】
以下、ポスト部分の装置について説明する。そのうちの布送り棒１３、針板１４’、布送り歯１５以外の構成部品はすべて座体９上に固定される。上述のように、座体９内部に組み込まれた各装置のうち、座体内部に連結された伝導機構は、各部品の取り付けや取り外しの際に、まずミシンを押し倒さなければ座体内部が見えず、また、布送り棒１３と布送りアーム２４を連結させて組立てるため、まずアーム２４下方の二又部品２３を取り外し、布送り棒(図２に示す)をネジ２５’が布送り棒１３を容易に挿入できる位置にくるまで下方向へ移動させる必要がある。
【発明の開示】
【発明が解決しようとする課題】
【０００６】
上述のように、該ミシンの体積は一般的なミシンより大きく、重量も大きいため、ポスト装置交換時にミシンを押し倒さなければならないという点が作業効率に影響することは否めず、上述の従来の技術に鑑みて、本発明の目的は、ポスト装置交換時にミシンを押し倒さなければならないという従来技術の問題を解決し、ミシンを押し倒す必要なくして簡単に装置を交換することができる、ポストベッド型ミシンの布送り棒装置を提供することにある。  
【課題を解決するための手段】
【０００７】
上述の目的を達するため、本発明は主にポストベッド型ミシンの布送り棒の下端に半円形の凹み槽を設け、半円の中心と相対する回転軸の軸心が一致し、且つ、挟み突起を設けることで対応して配置された回転軸を挟み込み左右の移動を制限し、さらに、布送り棒に上下分離型を採用し、且つ、重なり部分を設け、重なり部分に偏心軸を配置することで、布送り棒の上下移動ができるしくみである。
【発明の効果】
【０００８】
本発明のポストベッド型ミシンの布送り棒によれば、ミシンを押し倒す必要なくして簡単に構成部品の交換を行なうことができる。      
【発明を実施するための最良の形態】
【０００９】
以下、図面に基づき、本発明の最良の実施例を詳細に説明する。図３に本発明の装置の上面及び正面から見た透視組立て図、図４に本発明の布送り棒の着脱説明図、図５及び図６に本発明の立体図、図７に布送り棒の上下分離装置の立体図をそれぞれ示す。
【００１０】
図３A及び図３Bに示すように、制動器３０は揺動軸２０の支持部２１上に固定され、布送り棒１３を隨時同一位置に組み込むことができるようになっている。円ポスト１９は軸方向に長い円ポストであり、二又部品２３が軸方向に移動すると、円ポスト１９と緊密に接した状態となり、離脱することはない。支持部２１は揺動軸２０に固定され、ネジ２１'は従来の機種とくらべると90度回転させた方向に位置し、座体上方の図には未表示の穿通孔により該支持部をネジ止めすることができる。回転軸２５は、ネジ３３によりアーム２４上端に回転可能且つ下軸１８と平行に固定される。
【００１１】
布送り棒１３は、前述の回転軸２５と対をなして接合され、該回転軸２５の軸心と中心が一致する半円形の凹み槽１３aを備えている。挟み突起２８、２９は、布送り棒１３と固定板２６の間に設置され、ネジ付軸２７を支点とし、且つ、回転軸２５と同じ半円の凹み槽２８a、２９aを備え、取り付け後、前記半円形の凹み槽１３aの中心とも一致する。また、挟み突起２８、２９は、該支点の上方に斜面２８b、２９bを備え、ネジ３１の前端は球状を呈し、固定板２６の螺合を経て、挟み突起２８、２９の斜面２８b、２９bに突っ張る状態となり、ネジを締める方向に回転させると、その圧力が斜面を経由し挟み突起２８、２９にネジ付軸２７を支点として内側方向に回転させ、回転軸２５の外囲を挟み込ませ、ネジ３１をゆるめると、挟み突起が開き、布送り棒１３を取り外すことができる。
【００１２】
図７に示すように、本発明の二段式布送り棒の実施例を示す。下布送り棒の上端の凹み槽１３bは、上布送り棒１３’の下端と嵌合され、上下に滑動することができ、その中央に偏心軸３５を穿通させる穿通孔を設け、偏心軸３５の偏心部と上布送り棒１３’上に設けた水平方向長孔を接合後、偏心軸３５が回動すると、上布送り棒１３’が偏心軸３５の偏心範囲内で上下に移動し、縫製する物品に合わせて布送り歯の突出高さを設定することができる。
【００１３】
以上で説明したとおり、本発明の装置はミシンを押し倒す必要なく、簡単にポスト内の布送り棒装置の着脱・交換が可能であり、また、縫製時に布送り棒の上下の微調整をすることができ、大幅に作業及びメンテナンスの効率を向上することができる。
【図面の簡単な説明】
【００１４】
【図１】従来の技術によるポストベッド型ミシンの全体構造を示す平面図である。
【図２】従来の技術による布送り棒装置の透視組立て図である。
【図３Ａ】本発明の上面透視図である。
【図３Ｂ】本発明の正面透視図である。
【図４Ａ】本発明の布送り棒の着脱を示す透視図である。
【図４Ｂ】本発明の布送り棒の着脱を示す透視図である。
【図４Ｃ】本発明の布送り棒の着脱を示す透視図である。
【図５Ａ】本発明中の回転軸挟み突起の実施範例を示す立体図である。
【図５Ｂ】本発明中の回転軸挟み突起の実施範例を示す立体図である。
【図５Ｃ】本発明中の回転軸挟み突起の実施範例を示す立体図である。
【図６】本発明の布送り棒装置の立体分解図である。
【図７】本発明の布送り棒の立体分解図である。
【符号の説明】
【００１５】
１        本体頭部
４        針棒装置
８        筒部
９        座体
１０      歯車          
１１    柱座部
１２      ポスト
１３      布送り棒  
１３a、１３b  凹み槽
１４      軸座体
１４'     針板          
１５      布送り歯
１８      下軸          
１９      円ポスト
２０      揺動軸          
２１      支持部
２１'、２３'、２５'  ネジ     
２２      軸
２３      二又部品          
２４      アーム
２５      回転軸          
２６      固定板
２７      ネジ付軸        
２８、２９    挟み突起
２８a、２９a  凹み槽          
２８b、２９b  斜面
３０      制動器        
３１、３３      ネジ
３５      偏心軸
【図１】
2006068429.tif 000003
【図２】
2006068429.tif 000004
【図３Ａ】
2006068429.tif 000005
【図３Ｂ】
2006068429.tif 000006
【図４Ａ】
2006068429.tif 000007
【図４Ｂ】
2006068429.tif 000008
【図４Ｃ】
2006068429.tif 000009
【図５Ａ】
2006068429.tif 000010
【図５Ｂ】
2006068429.tif 000011
【図５Ｃ】
2006068429.tif 000012
【図６】
2006068429.tif 000013
【図７】
2006068429.tif 000014